(57)【要約】【課題】マンホール内の臭気ガスをより効率よく脱臭できると共に、脱臭濾材の雨水等の水分による劣化を防ぐことができ、加えて臭気ガスの量が少なく、所定の圧力に達するまでは臭気ガスのフィルター部材への流入を遮断することによる防臭効果を奏するようにする。【解決手段】有底円筒形で、内部に脱臭濾材３を充填し、且つ底部中央にマンホール内の臭気ガスの圧力によって開閉する防臭蓋装置４を備えた外側カートリッジ５と、有底円筒形で、底部に通気孔６を設け、内部に脱臭濾材７を充填した、前記外側カートリッジ５の上部開口内に嵌合する内側カートリッジ８とからなるフィルター部材２と、フィルター部材２をマンホール内の所要箇所に気密を保った状態において垂直に保持固定するための支持部材１０とをもって構成する。更に、フィルター部材２における内側カートリッジ８内に外部から水が浸入しないように構成する。【選択図】図１ 
2005232836.tif 000002
【特許請求の範囲】
【請求項１】
有底円筒形で、内部に脱臭濾材を充填し、且つ底部中央にマンホール内の臭気ガスの圧力によって開閉する防臭蓋装置を備えた外側カートリッジ、並びに有底円筒形で、底部に通気孔を設け、内部に脱臭濾材を充填した、前記外側カートリッジの上部開口内に嵌合する内側カートリッジからなるフィルター部材と、前記フィルター部材をマンホール内の所要箇所に気密を保った状態において垂直に保持固定するための支持部材とをもって構成し、更に前記フィルター部材における内側カートリッジ内に外部から水が浸入しないように構成したことを特徴とするマンホール用脱臭装置。
【請求項２】
フィルター部材における内側カートリッジ内に外部から水が浸入しないようにするための構成が、内側カートリッジにおける側壁部の内側に所要の間隔を存して隔壁を立設して通水溝を設けると共に、内側カートリッジにおける側壁部の該通水溝の最深部の位置に放水口を設ける一方、外側カートリッジの側壁部に前記放水口に連通する放水口を設けると共に、該放水口に、該放水口から放出される水の圧力によって開閉する蓋を設け、更に前記内側カートリッジの上部に、所要の間隔を存して内側カートリッジの内径よりも大径の円錐形のガイド板を載設してなる構成である請求項１記載のマンホール用脱臭装置。
【請求項３】
フィルター部材における内側カートリッジ内に外部から水が浸入しないようにするための構成が、フィルター部材における内側カートリッジの開口部が底部中央に開口するようにしてフィルター部材の上部を内外二重の筐体によって覆うと共に、該内外二重の筐体における内側の筐体と外側の筐体の夫々の側壁部の所要箇所に所要径の通気口を設けてなる構成である請求項１記載のマンホール用脱臭装置。
【発明の詳細な説明】
【技術分野】
【０００１】
本発明はマンホール用脱臭装置に関するものである。
【背景技術】
【０００２】
車道や歩道等に設置されるマンホールにあっては、その内部の臭気ガスが地表面の開口部から常時大気中に放出されている。しかし、これは大気汚染につながり、環境衛生上から好ましくない。このため、従来にあっても、例えば、特開平８−２４６４８４号公報（特許文献１）に示す如く、マンホールの開口部に脱臭手段を備えることも行われていた。
【特許文献１】特開平８−２４６４８４号公報
【０００３】
斯かる従来の脱臭手段は、マンホールにおける開口部の蓋の内側に活性炭やゼオライト等の脱臭濾材を充填した袋体をあてがい、マンホール内の臭気ガスを該袋体内の脱臭濾材を通過させることによって脱臭するものである。
【０００４】
このようになした場合には、確かに脱臭効果を期待することができる。しかし、蓋に穿設された貫通孔から雨水等が入り込んで脱臭濾材が劣化し、頻繁に脱臭濾材の取り換えをしなければならない。このため、脱臭濾材自体の費用がかかり過ぎる上に、取り換えの手間が面倒であるという問題点がある。
【発明の開示】
【発明が解決しようとする課題】
【０００５】
本発明は上記の点に鑑みなされたものであって、マンホール内の臭気ガスをより効率よく脱臭することができると共に、脱臭濾材の水分による劣化を防ぐことができ、加えて臭気ガスの量が少なく、所定の圧力に達するまでは臭気ガスのフィルター部材への流入を遮断することによる防臭効果も期待することができるようになしたマンホール用脱臭装置を提供せんとするものである。
【課題を解決するための手段】
【０００６】
而して、本発明の要旨とするところは、有底円筒形で、内部に脱臭濾材を充填し、且つ底部中央にマンホール内の臭気ガスの圧力によって開閉する防臭蓋装置を備えた外側カートリッジ、並びに有底円筒形で、底部に通気孔を設け、内部に脱臭濾材を充填した、前記外側カートリッジの上部開口内に嵌合する内側カートリッジからなるフィルター部材と、前記フィルター部材をマンホール内の所要箇所に気密を保った状態において垂直に保持固定するための支持部材とをもって構成し、更に前記フィルター部材における内側カートリッジ内に外部から水が浸入しないように構成したことを特徴とするマンホール用脱臭装置にある。
【０００７】
また、上記構成においてフィルター部材における内側カートリッジ内に外部から水が浸入しないようにするための構成の一つの例としては、内側カートリッジにおける側壁部の内側に所要の間隔を存して隔壁を立設して通水溝を設けると共に、内側カートリッジにおける側壁部の該通水溝の最深部の位置に放水口を設ける一方、外側カートリッジの側壁部に前記放水口に連通する放水口を設けると共に、該放水口に、該放水口から放出される水の圧力によって開閉する蓋を設け、更に前記内側カートリッジの上部に、所要の間隔を存して内側カートリッジの内径よりも大径の円錐形のガイド板を載設してなる構成を挙げることができる。
【０００８】
また、上記構成においてフィルター部材における内側カートリッジ内に外部から水が浸入しないようにするための構成の他の例としては、フィルター部材における内側カートリッジの開口部が底部中央に開口するようにしてフィルター部材の上部を内外二重の筐体によって覆うと共に、該内外二重の筐体における内側の筐体と外側の筐体の夫々の側壁部の所要箇所に所要径の通気口を設けてなる構成を挙げることができる。
【発明の効果】
【０００９】
本発明は上記の如き構成であるから、マンホール内の臭気ガスをより効率よく脱臭することができると共に、脱臭濾材の雨水等の水分による劣化を防ぐことができ、加えて臭気ガスの量が少なく、所定の圧力に達するまでは臭気ガスのフィルター部材への流入を遮断することによる防臭効果も期待することができるものである。
【発明を実施するための最良の形態】
【００１０】
本発明を実施するための最良の形態は、有底円筒形で、内部に脱臭濾材を充填し、且つ底部中央にマンホール内の臭気ガスの圧力によって開閉する防臭蓋装置を備えた外側カートリッジ、並びに有底円筒形で、底部に通気孔を設け、内部に脱臭濾材を充填した、前記外側カートリッジの上部開口内に嵌合する内側カートリッジからなるフィルター部材と、前記フィルター部材をマンホール内の所要箇所に気密を保った状態において垂直に保持固定するための支持部材とをもって構成し、更に前記フィルター部材における内側カートリッジ内に外部から水が浸入しないように構成したことにある。
【実施例】
【００１１】
以下、本発明の実施例について説明する。
図１は第１実施例の実施状態の断面図、図２は分解斜視図である。
【００１２】
図中、１はマンホール用脱臭装置である。２はフィルター部材である。また、該フィルター部材２は、有底円筒形で、内部に脱臭濾材３を充填し、且つ底部中央にマンホール内の臭気ガスの圧力によって開閉する防臭蓋装置４を備えた外側カートリッジ５と、有底円筒形で、底部に通気孔６を設け、内部に脱臭濾材７を充填した、前記外側カートリッジ５の上部開口内に嵌合する内側カートリッジ８とからなるものである。また、９は前記脱臭濾材３の下部に敷き、脱臭濾材３の下面を外側カートリッジ５の底部から浮かせるための部材である。
【００１３】
また、前記脱臭濾材３は、硫化水素とメチルメルカプタンを除去するに適したものであり、また脱臭濾材７は、二酸化メチル、メチルアミン等を除去するに適したものであり、本実施例では活性炭を用いている。
【００１４】
また、前記防臭蓋装置４は、有底円筒形の筐体４Ａの底部中央にガイドポスト４Ｂを立設すると共に該ガイドポスト４Ｂの周囲に臭気ガス流入口４Ｃを設け、更にガイドポスト４Ｂに、これに沿って昇降自在とした所定重量の蓋４Ｄを取り付け、マンホール内の臭気ガスの圧力によって該蓋４Ｄが昇降し、臭気ガス流入口４Ｃを開閉するようになしたものである。
【００１５】
１０は前記フィルター部材２をマンホール内の所要箇所に気密を保った状態において垂直に保持固定するための支持部材である。
【００１６】
また、本実施例においてはフィルター部材２における内側カートリッジ８内に外部から水が浸入しないようにするために、内側カートリッジ８における側壁部８ａの内側に所要の間隔を存して隔壁１１を立設して通水溝１２を設けると共に、内側カートリッジ８における側壁部８ａの該通水溝１２の最深部の位置に放水口１３を設ける一方、外側カートリッジ５の側壁部５ａに前記放水口１３に連通する放水口１４を設けると共に、該放水口１４に、該放水口１４から放出される水の圧力によって開閉する蓋１５を設け、更に前記内側カートリッジ８の上部に、所要の間隔を存して内側カートリッジ８の内径よりも大径の円錐形のガイド板１６を載設した構成としている。
【００１７】
そして、上記本実施例に係るマンホール用脱臭装置１は、図示した例においてはマンホールの地表開口部に設置している。尚、１７はマンホール、１８は通気孔１８ａを設けた蓋、１９は蓋受枠である。
【００１８】
次に、本実施例の作用について説明する。
マンホール１７内の臭気ガスは、フィルター部材２内に流入すると、先ず外側カートリッジ５内の脱臭濾材３によって脱臭され、次いで内側カートリッジ８内の脱臭濾材７によって脱臭される。このように臭気ガスは脱臭濾材３、７を順々に２回通過するから、従来よりも効率よく脱臭することができるものである。
【００１９】
また、降雨時に雨水が蓋１８の通気孔１８ａからマンホール１７内に流入したときには、図１において鎖線で示す経路にて流れ落ちる。即ち、雨水は円錐形のガイド板１６の上面を伝わって内側カートリッジ８の開口部より外側に流れ落ち、フィルター部材２と支持部材１０との間に溜まる。そして水面が上昇して内側カートリッジ８の上面より高くなると、内側カートリッジ８に設けられた通水溝１２に流入する。そして該通水溝１２から放水口１３、１４を経てフィルター部材２の外に放出される。尚、このとき蓋１５は雨水の圧力によって押し開かれる。そして、雨水が通水溝１２内に入り込もうとするときにおいては、図１中実線で示す経路を経てフィルター部材２内を通過し且つ円錐形のガイド板１６の下面に沿って内側カートリッジ８の開口部をすり切るように流れるガスの圧力によって内側カートリッジ８の開口部への浸入が阻止されるものである。
【００２０】
また、マンホール１７内の臭気ガスの量が少なく、圧力が低い状態にあっては、防臭蓋装置４における蓋４Ｄが臭気ガス流入口４Ｃを閉じている。したがって、臭気ガスはフィルター部材２内に流入せず、もってマンホール外に流出しないものである。
【００２１】
また、上記実施例においては支持部材１０をマンホール１７内において蓋受枠１９の下部に埋め込んで取り付けた場合を示したが、図３に示す如く、支持部材１０の上端部において蓋１８を受けるようになすと共に、該支持部材１０の上端部を外方に突出させ、この突出部を蓋受枠１９に掛け止めて支持するようになしてもよく、更には図４に示す如く、支持部材１０の上端部において蓋１８を受けるようになすと共に、該支持部材１０の上端部を外方に突出させ、この突出部をマンホール１７に埋め込むようになしてもよい。尚、支持部材１０はマンホール１７内において所要箇所に取り付けるものであり、開口部近くでも、或いはこれより適宜離れた箇所でもよい。
【００２２】
次に、図５及び図６に示した本発明の第２実施例について説明する。
本実施例と前記第１実施例とはフィルター部材における内側カートリッジ内に外部から水が浸入しないにようにするための構成において相違している。尚、その他の構成については同様であるから、同一の部材には同一の符号を付して詳細な説明は省略する。
【００２３】
而して、本実施例においては、フィルター部材２における内側カートリッジ８の開口部が底部中央に開口するようにして、内側の筐体２０と外側の筐体２１とからなる内外二重の筐体２２によってフィルター部材２の上部を覆うと共に、該内外二重の筐体２２における内側の筐体２０と外側の筐体２１の夫々の側壁部２０Ａ、２１Ａの高さ方向の中央部に所要径の通気口２０ａ、２１ａを設けて構成している。また、本実施例においては、内側の筐体２０と外側の筐体２１は、いずれも頂部を開口し、該開口部に蓋２０Ｂ、２１Ｂを取り付けている。
【００２４】
図５には本実施例を歩道のマンホールに設置した場合を示しており、２３は歩道、２４は車道である。この場合には、本実施例における外側の筐体２１の上面が歩道２３と同一平面となるように設置するものであり、また歩道２３には、外側の筐体２１の側壁部２１Ａの周囲に通水溝２５を設け且つ該通水溝２５の最深部から歩道の外縁部に向けて放水路２６を設けている。
【００２５】
斯かる場合、降雨時にあっては雨水は図５において鎖線で示す経路にて流れ落ちる。即ち、雨水は通水溝２５と放水路２６を経て車道に流れ落ちるものである。そして、雨水が通水溝２５内を流れ落ちるとき、外側の筐体２１の側壁部２１Ａに設けた所要径の通気口２１ａから外部に向けて脱臭されたガスが噴き出し、もって該通気口２１ａから外側の筐体２１の内部に雨水が浸入することを阻止するものである。そしてまた、外側の筐体２１の内側には更に別の筐体２０が存在することから、二重に遮蔽することになり、雨水が内側カートリッジ８の内部に浸入することを確実に防ぐことができるものである。
【００２６】
また、外側のカートリッジ５内の脱臭濾材３と内側カートリッジ８内の脱臭濾材７とによってより効率よく脱臭することができることと、マンホール内の臭気ガスの量が少ないときには臭気ガスがフィルター部材内に流入しないようにして防臭できることは前記第１実施例と同様であるから、説明は省略する。
【図面の簡単な説明】
【００２７】
【図１】本発明の第１実施例の実施状態の断面図である。
【図２】本発明の第１実施例の分解斜視図である。
【図３】本発明の第１実施例における支持部材の変形例である。
【図４】本発明の第１実施例における支持部材の他の変形例である。
【図５】本発明の第２実施例の実施状態の断面図である。
【図６】本発明の第２実施例の分解斜視図である。
【符号の説明】
【００２８】
１  マンホール用脱臭装置
２  フィルター部材
３  脱臭濾材
４  防臭蓋装置
５  外側カートリッジ
７  脱臭濾材
８  内側カートリッジ
１０  支持部材
１１  隔壁
１２  通水溝
１３  放水口
１４  放水口
１５  蓋
１６  円錐形のガイド板
２０  内側の筐体
２０Ａ  側壁部
２０ａ  通気口
２０Ｂ  蓋
２１  外側の筐体
２１Ａ  側壁部
２１ａ  通気口
２１Ｂ  蓋
２２  内外二重の筐体
２５  通水溝
２６  放水路
【図１】
2005232836.tif 000003
【図２】
2005232836.tif 000004
【図３】
2005232836.tif 000005
【図４】
2005232836.tif 000006
【図５】
2005232836.tif 000007
【図６】
2005232836.tif 000008